(57)【要約】【課題】カードリーダーでのカード読取に際してのユーザーのカード挿入・カード抜取に伴う接点損傷の回避を図る。【解決手段】ＡＴＭに組み込まれたカードリーダー４００にてカード情報を読み取るに当たり、ユーザーのカード挿入を経てＩＣカード３００をカード受取位置ＫＰに受け取る。こうしたカード受取から所定の待機時間の経過後に、ＩＣカード３００をカードロック機構４０１にてカード受取位置ＫＰにロックして、カード受取位置ＫＰまで挿入済みのＩＣカード３００のユーザーによるカード抜取を不可とする。【選択図】図５
2015176515.tif 000002
【特許請求の範囲】
【請求項１】
カードを用いて取引を行うカード取引装置であって、
ユーザーによるカード挿入を経てカードを受け取るカード受取位置を備え、該受け取った前記カードに記憶済みのカード情報を読み取ると共に、前記カード受取位置から前記ユーザーへのカード受渡を前記カード受取位置のカードの前記ユーザーによるカード抜取を経て行うカードリーダーと、
前記カード挿入を経て前記カード受取位置に受け取った前記カードを前記カードリーダーにおいてロックして前記カード抜取を不可とするロック機構部と、
前記カードを受け取ってから所定の待機時間の経過後に、前記ロック機構部を駆動制御して前記カードをロックし、前記カード情報の読み取り後に、前記ロック機構部を駆動制御して前記ロックを解除するロック制御部とを備える、カード取引装置。
【請求項２】
請求項１に記載のカード取引装置であって、
前記カードリーダーの読み取った前記カード情報に応じたカード取引を実行する取引実行部と、
前記ユーザーに情報報知を行う報知部とを備え、
前記カードリーダーは、前記カード情報を記録済みの磁気ストライプを読み取る第１読取ヘッドと、前記カード情報を記憶済みのＩＣチップを前記ロック機構部によるカードロックの間に読み取る第２読取ヘッドとを備え、
前記取引実行部は、前記待機時間の経過前に前記ユーザーによる前記カード抜取がなされると、前記第１読取ヘッドが前記磁気ストライプから読み取った前記カード情報に基づいてカード取引の実行可否を判定し、
前記報知部は、前記取引実行部が前記カード取引は可能であると判定すると、再度の前記カード挿入を行うよう前記ユーザーに報知する、カード取引装置。
【請求項３】
請求項２に記載のカード取引装置であって、
前記カードリーダーは、前記報知の後に前記ユーザーがなした再度の前記カード挿入を経て受け取った前記カードの前記磁気ストライプを前記第１読取ヘッドにより読み取り、
前記ロック制御部は、前記再度の前記カード挿入を経て受け取った前記カードの再挿入後の前記磁気ストライプのカード情報が前記報知の前の前記カード挿入を経て受け取った前記カードの再挿入前の前記磁気ストライプのカード情報と一致していると、前記再度の前記カード挿入を経て前記カードを受け取ってから所定の待機時間の経過後に、前記ロック機構部を駆動制御して前記カードをロックする、カード取引装置。
【請求項４】
請求項３に記載のカード取引装置であって、
前記ロック制御部は、前記再挿入後の前記磁気ストライプのカード情報と前記再挿入前の前記磁気ストライプのカード情報とが不一致であると、前記ロック機構部による前記ロックを行わず、
前記報知部は、前記再度の前記カード挿入を経て受け取った前記カードのカード抜取を行うよう前記ユーザーに報知する、カード取引装置。
【請求項５】
カードに記憶済みのカード情報を読み取って取引を行うカード取引方法であって、
ユーザーのカード挿入を経て前記カードをカード受取位置に受け取り、前記カードを受け取ってから所定の待機時間の経過後に、前記カードをロックして前記カード受取位置のカードの前記ユーザーによるカード抜取を不可とし、
前記カード受取位置に受け取ったカードからの前記カード情報の読み取り後に、前記ロックを解除して前記カード抜取を可能とする、カード取引方法。
【発明の詳細な説明】
【技術分野】
【０００１】
本発明は、カード取引装置とカード取引方法に関する。
【背景技術】
【０００２】
カードを用いて取引を行うカード取引装置は、例えば、現金自動取引装置（Automated Teller Machine; 以下、単にＡＴＭとも称する）として、ユーザーと自動取引を行う。ＡＴＭでのカード情報の読み取りは、受け取ったカードをカード受取位置から装置内部に搬送して行う方式と、カード受取位置で行う方式に大別され、いずれの読み取り方式もユーザーに認知されて、それぞれ広く普及している。以下、前者の読み取り方式を，便宜上、搬送読み取り方式と称し、後者の読み取り方式を非搬送読み取り方式と称する。非搬送読み取り方式のカード取引装置は、搬送読み取り方式のように搬送機構や駆動源を必要としない利点がある反面、使用されるカード種別によって、カード情報の読み取りに支障が起きることがある。
【０００３】
カードは、カード情報を磁気ストライプに記憶する磁気カードと、カード情報をＩＣチップに記憶するＩＣカードと、カード情報を磁気ストライプとＩＣチップに記憶する磁気・ＩＣ兼用カードに区分され、それぞれ広く普及している。磁気ストライプからのカード情報読み取りは、ユーザーによるカード挿入或いはカード抜取の過程で可能である。よって、磁気ストライプを有する磁気カードであれば、カード挿入とカード抜取とがユーザーにより一連の動作として非搬送読み取り方式のカード取引装置でなされても、特段の支障は無い。その反面、ＩＣカードや磁気・ＩＣ兼用カードを非搬送読み取り方式のカード取引装置で用いる場合、ＩＣチップからの情報読取には読取機器とＩＣチップとを接触状態に維持する必要がある。よって、ＩＣチップとの接触確保前に、カード挿入とカード抜取とがユーザーにより一連の動作としてなされると、ＩＣチップのカード情報の読み取りのための接点確保ができないため、読み取りエラーを招きかねない。また、ＩＣチップとの接点接触中にカード抜取がなされると、接点損傷を招きかねない。こうしたことを回避するため、カード挿入とカード抜取とをユーザーが一連の動作として行った後に、磁気ストライプから読み込んだカード情報による磁気取引処理か、ＩＣチップによるから読み込んだカード情報によるＩＣ取引処理かをユーザーに選択させる手法が提案されている（例えば、特許文献１）。
【先行技術文献】
【特許文献】
【０００４】
【特許文献１】特開平１１−２０３４１６号公報
【発明の概要】
【発明が解決しようとする課題】
【０００５】
上記特許公報で提案された手法では、ユーザーによるＩＣ取引処理の選択の後、カードの再挿入を受け付け、カードの挿入状態を維持してＩＣチップの接点確保を図るべく、カードをロックしている。しかしながら、カード挿入とこれに続くカード抜取とを一連の動作としてなすことにユーザーが慣れていればいるほど、こうしたユーザーは、カードの再挿入の際にも、カード挿入とこれに続くカード抜取とを一連の動作としてなすことが危惧される。そうなると、カードの再挿入の受け付けの際に、ＩＣチップのカード情報の読み取りのための接点の損傷を招きかねない。なお、ＩＣ取引処理をユーザーが選択したとしても、カード操作の上記した慣れや誤認により、当初のカード挿入の際に上記の一連の動作を実行すれば、ＩＣチップのカード情報の読み取りのための接点の損傷を招きかねない。
【課題を解決するための手段】
【０００６】
本発明は、上述の課題の少なくとも一部を解決するためになされたものであり、次の形態として実現することが可能である。本発明の形態は、
ユーザーによるカード挿入を経てカードを受け取るカード受取位置を備え、該受け取った前記カードに記憶済みのカード情報を読み取ると共に、前記カード受取位置から前記ユーザーへのカード受渡を前記カード受取位置のカードの前記ユーザーによるカード抜取を経て行うカードリーダーと、
前記カード挿入を経て前記カード受取位置に受け取った前記カードを前記カードリーダーにおいてロックして前記カード抜取を不可とするロック機構部と、
前記カードを受け取ってから所定の待機時間の経過後に、前記ロック機構部を駆動制御して前記カードをロックし、前記カード情報の読み取り後に、前記ロック機構部を駆動制御して前記ロックを解除するロック制御部とを備える。
【０００７】
また、本発明の他の形態は、
カードに記憶済みのカード情報を読み取って取引を行うカード取引方法であって、
ユーザーのカード挿入を経て前記カードをカード受取位置に受け取り、前記カードを受け取ってから所定の待機時間の経過後に、前記カードをロックして前記カード受取位置のカードの前記ユーザーによるカード抜取を不可とし、
前記カード受取位置に受け取ったカードからの前記カード情報の読み取り後に、前記ロックを解除して前記カード抜取を可能とする。
【発明の効果】
【０００８】
上記形態のカード取引装置或いはカード取引方法によれば、ユーザーによるカード挿入を経たカードの受け取りが最初の受け取りであるか再度の受け取りであるかに拘わらず、カード挿入とカード抜取とが一連の動作としてユーザーになされても、接点損傷を回避可能となる。
上記した以外の課題、並びにこれを解決する構成および効果は、以下の実施形態の説明により明らかにされる。
【図面の簡単な説明】
【０００９】
【図１】本発明のカード取引装置が組み込まれた一実施形態として自動取引装置２０（ＡＴＭ２０）を含む現金取引処理システム１００の概略構成を示す説明図である。
【図２】ＡＴＭ２０とホストコンピューター１０の内部構成を概略的に示す説明図である。
【図３】ＩＣカード３００の平面図とＩＣカード３００における磁気ストライプ３０２に記憶済みのデーター構成を示す説明図である。
【図４】カード機構部４に使用するＤＩＰ式のカードリーダー４００の概略構成をＩＣカード３００と共に示す説明図である。
【図５】図４におけるＡ方向からカードリーダー４００を透視して内部の概略構成を示す説明図である。
【図６】ＡＴＭ２０にて行われる一連のカード取引処理の前半を占める各処理を示すフローチャートである。
【図７】カード取引処理の後半を占める各処理を示すフローチャートである。
【図８】カード取引処理の遂行に伴う操作部３での第１案内表示推移を示す説明図である。
【図９】カード取引処理の遂行に伴う操作部３での第２案内表示推移を示す説明図である。
【図１０】ＡＴＭ２０にて行われる第２実施形態のカード取引処理の前半を占める各処理を示すフローチャートである。
【図１１】第２実施形態のカード取引処理の後半を占める各処理を示すフローチャートである。
【図１２】第２実施形態のカード取引処理におけるリスト作成処理の詳細を説明するためのフローチャートである。
【図１３】第２実施形態のカード取引処理の遂行に伴う操作部３での案内表示推移を示す説明図である。
【発明を実施するための形態】
【００１０】
以下、本発明の実施の形態について、図面に基づき説明する。
Ａ．第１実施形態：
Ａ−１．全体構成：
Ａ−２．カード受入関連構成：
Ａ−３．カード取引処理：
Ｂ．第２実施形態：カード取引処理：
【００１１】
Ａ．第１実施形態：
Ａ−１．全体構成：
図１は本発明のカード取引装置が組み込まれた一実施形態として自動取引装置２０（ＡＴＭ２０）を含む現金取引処理システム１００の概略構成を示す説明図である。現金取引処理システム１００は、ＡＴＭ２０と、各金融機関ごとのホストコンピューター１０とを備え、ネットワークＮＴを介して接続されている。ホストコンピューター１０は、サーバーとして機能し、ＡＴＭ２０からの情報照会に対応して、必要なデーター、例えば現金の入出金取引の際の記帳項目やその記帳フォーマット等のデーターや、入出金取引の対象とされた預金口座の残高や当該口座に特有の暗証番号等の口座情報データーをネットワークＮＴを介してＡＴＭ２０に出力する。
【００１２】
ＡＴＭ２０は、銀行店舗のみならず、駅や百貨店、ショッピングモール等の機器ブースに設置され、ユーザーの操作とカード情報とに基づいて入出金等の所定の現金取引を行なうよう構成されている。こうしたＡＴＭ２０は、ユーザーと対面する装置前面に、操作部３と、カード機構部４と、明細票機構部５と、紙幣入出金機構部６と、硬貨入出金機構部７と、静脈認証機構部１１とを備える。明細票機構部５、ユーザーが挿入した通帳を受け付ける。カード機構部４は、ユーザーが挿入したＩＣカード３００（図３参照）を受け付ける。本実施形態のカード機構部４は、ＩＣカード取引処理にも対応できる手動操作式、いわゆるＤＩＰ式のカードリーダーであり、ユーザーによるカード挿入を経たカード受け取り、受け取ったカードに記憶済みのカード情報の読み取り、ユーザーによるカード抜取を経たカード受渡等を行う。そして、このカード機構部４は、こうしたカード受取等を支障なく行うべく、カード挿入およびカード抜取の検知機能、挿入されたカードの磁気ストライプからのデーターリード機能、ＩＣチップからのデーターリード・ライト機能、さらに、図示しないカード挿入口シャッターの開閉、挿入されたカードのロック・解除操作、カードが挿入されたかどうかを検知するセンサー機能などを有する。本発明に関与するカード機構部４の構成とその機能については、後述する。
【００１３】
ＡＴＭ２０は、明細票機構部５が発行した取引明細書を、必要に応じて明細票機構部５の排出口から排出し、ユーザーに払い出す。操作部３は、後述の制御部２の制御を受けて駆動し、ユーザーへのガイダンスメッセージや入力受付画像等を表示すると共に、ユーザーの指等による接触位置の座標を取得するポインティングデバイスとして構成される。そして、この操作部３は、指等の接触によるユーザーからの指示入力を表示画像で受け付け、表示画像におけるユーザー操作を、データー変換して後述の制御部２に出力する。紙幣入出金機構部６と硬貨入出金機構部７は、それぞれユーザーからの硬貨や紙幣の受け入れと排出を行うが、本発明の要旨と直接関係しないので、その詳細な説明については、これを省略する。静脈認証機構部１１は、ユーザーの指等からユーザーの静脈を認識してユーザー識別を行うが、本発明の要旨と直接関係しないので、その詳細な説明については、これを省略する。
【００１４】
Ａ−２．カード受入関連構成：
図２はＡＴＭ２０とホストコンピューター１０の内部構成を概略的に示す説明図である。ＡＴＭ２０は、制御部２と、操作部３と、カード機構部４と、明細票機構部５と、紙幣入出金機構部６と、硬貨入出金機構部７と、静脈認証機構部１１の他、回線接続部８と、音声案内ガイダンス部９と、画像取得機構部１７と、タイマ機構部１８と、金銭真偽判別機構部１９と、処理指示取得部２１と、処理指示記憶部２２とを備える。制御部２は、ＣＰＵ、ＲＡＭ、ＲＯＭ等を備えたコンピューターとして構成され、後述のカード取引処理を含む各種処理を実行するためのプログラムおよびデーターを記憶しており、操作部３やカード機構部４等を統括制御する。回線接続部８は、ホストコンピューター１０の後述の回線接続部１２と接続され、ホストコンピューター１０とＡＴＭ２０との間のデーター送信に関与する。音声案内ガイダンス部９は、制御部２の制御を受けて、ユーザー操作の後述の案内ガンダンス等を図示しないスピーカーからユーザーに音声報知する。画像取得機構部１７は、制御部２の制御を受けて、ユーザー操作の後述の案内ガンダンス等を操作部３にテキストや画像等にて表示し、案内ガイダンスをユーザーに報知する。
【００１５】
タイマ機構部１８は、カード機構部４にユーザーによりＩＣカード３００が挿入されてからの経過時間や何らかのユーザー操作がなされてからの経過時間等を計時して、その経過時間を制御部２に出力する。金銭真偽判別機構部１９は、紙幣入出金機構部６や硬貨入出金機構部７に投入された紙幣・硬貨の真偽を判別し、その判別結果を制御部２に出力する。処理指示取得部２１は、操作部３のユーザー操作からＡＴＭ２０に求められている処理の指示を取得し、取得した処理指示を制御部２に出力する。処理指示記憶部２２は、処理指示取得部２１の取得した処理指示を取引処理完了まで一時的に記憶し、取引途中で中断した取引の再開等に備える。
【００１６】
ホストコンピューター１０は、回線接続部１２と、口座情報ファイル制御部１３と、ファイル部１４と、ホストコンピューター制御部１５とを備える。回線接続部１２は、ＡＴＭ２０の回線接続部８と接続され、ホストコンピューター１０とＡＴＭ２０との間のデーター送信に関与する。ホストコンピューター制御部１５は、ＣＰＵ、ＲＡＭ、ＲＯＭ等を備えて構成され、ホストコンピューター１０に求められている各種処理を実行するためのプログラムおよびデーターを記憶しており、ホストコンピューター１０を統括制御する。ファイル部１４は、口座情報ファイル１６を備え、当該ファイルに、ユーザーごとの口座情報をＩＣカード３００の暗証番号やユーザーの静脈情報等と関連付けて記憶している。口座情報ファイル制御部１３は、口座情報に関するデーター更新や関連付け等を制御する。
【００１７】
次に、ＩＣカード３００におけるカード情報の記憶の様子やカード構成、およびカード機構部４の構成について説明する。図３はＩＣカード３００の平面図とＩＣカード３００における磁気ストライプ３０２に記憶済みのデーター構成を示す説明図である。ＩＣカード３００は、表面に帯状の磁気ストライプ３０２とＩＣチップ３０１とを備える。つまり、ＩＣカード３００は、磁気カードとしての機能と、接触式ＩＣカードとしての機能を兼ね備える。磁気ストライプ３０２は、ユーザーにて設定済みの暗証番号３０３やサービスコード３０４といった各種のカード情報を磁気的に記録している。ＩＣチップ３０１は、暗証番号３０３を含む各種のカード情報を電気的に記憶している。
【００１８】
サービスコード３０４は、その記録数値により、ＡＴＭ２０で実行可能な取引種別、具体的には、ＩＣカード取引が実行可能か磁気カード取引が実行可能かを規定する。よって、ＩＣチップ３０１と磁気ストライプ３０２とを備える図３に示すＩＣカード３００であれば、ＩＣチップ３０１のカード情報によるＩＣカード取引も磁気ストライプ３０２のカード情報による磁気カード取引も実行可能であるので、サービスコード３０４には、数値「２」或いは数値「６」が記録される。その一方、ＩＣチップ３０１を備えないＩＣカード３００であれば、磁気カード取引のみが実行可能であるので、サービスコード３０４には、数値「２」と数値「６」以外の数値データーが記録される。そうすると、ＩＣカード３００の磁気ストライプ３０２の読み取りで得られたサービスコード３０４の記録数値により、ユーザーが使用したＩＣカード３００では、ＩＣカード取引が実行可能か磁気カード取引が実行可能かを判明できる。
【００１９】
図４はカード機構部４に使用するＤＩＰ式のカードリーダー４００の概略構成をＩＣカード３００と共に示す説明図、図５は図４におけるＡ方向からカードリーダー４００を透視して内部の概略構成を示す説明図である。図４に示すように、カードリーダー４００は、筐体前方側、即ち図１におけるＡＴＭ２０のユーザー正面側に、左右のカード案内突起４１０，４１２を備え、当該突起で囲まれた領域にカード挿入孔４１４を備える。この他、カードリーダー４００は、筐体内部に、カードロック機構４０１と、磁気ヘッド４０２と、ＩＣチップ接点機構４０３と、カード挿入センサー４０４とを有する。磁気ヘッド４０２は、図４に示したカード案内突起４１０，４１２の一方、例えばカード案内突起４１０に組み込まれている。そして、磁気ヘッド４０２は、カード挿入孔４１４へのユーザーによるカードの挿入を経て挿入されたＩＣカード３００の磁気ストライプ３０２のカード情報を読み取って当該情報を制御部２に出力する。なお、図５では、図示の都合上、磁気ヘッド４０２は、紙面における下方側に位置するが、挿入されるＩＣカード３００における磁気ストライプ３０２と対向して、カード案内突起４１０に配設される。
【００２０】
カード挿入センサー４０４は、紙面における右方側、即ちカードリーダー４００の奥側に配設されている。そして、このカード挿入センサー４０４は、カード挿入孔４１４へのユーザーによるカードの挿入を経て挿入されたＩＣカード３００の先端を検知し、その検知信号を制御部２に出力する。こうしてカード挿入センサー４０４がカードを検知すると、カード挿入を経て受け取ったＩＣカード３００は、カード受取位置ＫＰに位置することになる。このカード受取位置ＫＰに位置する磁気カード３００は、図４に示すカード案内突起４１０，４１２との間において、カード端部をカード挿入孔４１４から露出させている。よって、ユーザーは、カード受取位置ＫＰに位置する磁気カード３００の露出範囲において磁気カード３００を指で把持し、カード挿入とカード抜取を行う。
【００２１】
ＩＣチップ接点機構４０３は、カード挿入孔４１４から挿入されて上記したカード受取位置ＫＰに位置するＩＣカード３００と対向するよう配設されている。そして、ＩＣチップ接点機構４０３は、制御部２の制御を受けて駆動してＩＣカード３００の接点と接触し、ＩＣチップ３０１に記憶済みのカード情報を読み取って当該情報を制御部２に出力する。なお、ＩＣチップ接点機構４０３は、制御部２の制御を受けて、ＩＣチップ３０１へのデーター書き込みも行う。
【００２２】
カードロック機構４０１は、磁気ヘッド４０２と反対側のカード案内突起４１２に組み込まれ、制御部２の制御を受けて駆動して、ユーザーのカード挿入を経てカード受取位置ＫＰに受け取ったＩＣカード３００を、カード挿入孔４１４の側でロックする。これにより、カード受取位置ＫＰに位置するＩＣカード３００をカード挿入孔４１４から引き抜くユーザーのカード抜取は、不可となり、挿入済みのＩＣカード３００をユーザーが抜取ることができなくなる。なお、挿入されたＩＣカード３００或いはカード受取位置ＫＰに位置するＩＣカード３００のユーザーへのカード受渡は、カードロック機構４０１によるロックがなされていない間のユーザーによるカード抜取を経てなされる。
【００２３】
Ａ−３．カード取引処理：
次に、カード取引処理について説明する。図６はＡＴＭ２０にて行われる一連のカード取引処理の前半を占める各処理を示すフローチャート、図７はカード取引処理の後半を占める各処理を示すフローチャート、図８はカード取引処理の遂行に伴う操作部３での第１案内表示推移を示す説明図、図９はカード取引処理の遂行に伴う操作部３での第２案内表示推移を示す説明図である。
【００２４】
図示するカード取引処理は、制御部２による各機器制御下で行われ、まず、制御部２は、カード取引のタイプを選択する案内画像を操作部３に表示して（ステップＳ１００）、その案内画像をユーザーに提供する。このステップＳ１００で、制御部２は、図８（ａ）に示す画像情報を取得するよう画像取得機構部１７を制御し、操作部３に、図８（ａ）の取引選択案内画像を表示する。この場合、制御部２は、図８（ａ）に示す取引選択案内画像を常時、操作部３に表示してもよいし、図１において省略した人体検知センサー等にてユーザーの接近を検知し、ユーザー検知に合わせて図８（ａ）に示す取引選択案内画像を表示してもよい。制御部２は、図８（ａ）の取引選択案内画像を表示した後、ユーザーによる取引タイプの選択を待機する（ステップＳ１１０）。
【００２５】
ユーザーが磁気取引を選択すると、制御部２は、図８（ｂ）に示す画像情報を取得するよう画像取得機構部１７を制御し、操作部３に、図８（ｂ）のカード挿入案内画像を表示する（ステップＳ１２０）。次いで、制御部２は、カード機構部４のカード挿入孔４１４（図４参照）へのユーザーによるカード挿入を待機し（ステップＳ１３０）、カード挿入があると、そのカード挿入の際に、磁気ストライプ３０２に記録済みのカード情報を磁気ヘッド４０２にて読み取り（ステップＳ１４０）、このカード情報を一旦記憶する。この場合のカードは、ステップＳ１１０にて磁気取引が選択済みなので、ＩＣチップ３０１を備えない磁気カードである。よって、磁気取引の際のカードを、磁気カード３００と称する。なお、図８（ｂ）のカード挿入案内画像の表示の後に所定時間経過すると、案内画像をフラッシュ表示したり、音声案内ガイダンス部９にてカード挿入を促すアナウンスを流して、ユーザーに磁気カード３００の挿入を促すようにしてもよい。
【００２６】
カード情報の読み取りに続き、制御部２は、挿入された磁気カード３００がカードリーダー４００（図５参照）におけるカード受取位置ＫＰに位置しているか否かを、カード挿入センサー４０４のセンサー出力に基づいて判定する（ステップＳ１５０）。ここで肯定判定すると、制御部２は、図８（ｃ）に示す画像情報を取得するよう画像取得機構部１７を制御し、操作部３に、図８（ｃ）のカード抜取案内画像を表示して、ユーザーによる磁気カード３００の抜取を待機する（ステップＳ１６０）。上記のカード抜取案内画像の表示の後、制御部２は、ステップＳ１４０で読み取ったカード情報に応じた各種の磁気取引処理、例えば、ユーザー所望の入金処理、出金処理等を行って（ステップＳ１７０）、一旦、本ルーチンを終了する。一方、ステップＳ１５０で否定判定すると、制御部２は、ステップＳ１７０に移行して、ステップＳ１４０で読み取ったカード情報に応じた各種処理を実行し、一旦、本ルーチンを終了する。つまり、ステップＳ１１０にて磁気取引がユーザーにより選択されれば、制御部２は、既存のＡＴＭにてなされているよう、ＡＴＭ２０を制御する。この場合、ステップＳ１５０での否定判定は、ユーザーが慣れ親しんだカード挿入とカード抜取の一連動作を行う場合に下されるが、カード挿入の際に既に磁気ストライプ３０２からカード情報は読み取り済み（ステップＳ１４０）なため、ステップＳ１７０での磁気取引処理に支障は無い。また、ユーザーが磁気カード３００をカード受取位置ＫＰに位置するようカード挿入を行っただけであっても、ステップＳ１５０での肯定判定とこれに続くカード抜取案内により、磁気カード３００は、ユーザーのカード抜取により、ユーザーに受け渡される。
【００２７】
ステップＳ１１０にてユーザーがＩＣ取引を選択すると、制御部２は、磁気取引の場合と同様に、図８（ｂ）のカード挿入案内画像を表示して（ステップＳ１８０）、ユーザーによるＩＣカード３００の挿入を待機する（ステップＳ１９０）。そして、ＩＣ取引が可能なカードの挿入があると、そのカード挿入の際に、磁気ストライプ３０２に記録済みのカード情報を磁気ヘッド４０２にて読み取り（ステップＳ２００）、このカード情報を一旦記憶する。この場合のカードは、ステップＳ１１０にてＩＣ取引が選択済みなので、ＩＣチップ３０１を備えるＩＣカード３００である。なお、このＩＣ取引選択の場合であっても、図８（ｂ）のカード挿入案内画像の表示の後に所定時間経過すると、案内画像をフラッシュ表示したり、音声案内ガイダンス部９にてカード挿入を促すアナウンスを流して、ユーザーにカード挿入を促すようにしてもよい。
【００２８】
カード情報の読み取りに続き、制御部２は、挿入されたＩＣカード３００がカードリーダー４００（図５参照）におけるカード受取位置ＫＰに、所定の待機時間に亘って存在しているか否かを、カード挿入センサー４０４のセンサー出力とタイマ機構部１８の計時時間に基づいて判定する（ステップＳ２１０）。つまり、制御部２は、ユーザーによるカード挿入を経てＩＣカード３００をカード受取位置ＫＰに受け取ってからの経過時間を計時し、ステップＳ２１０では、所定の待機時間、例えば、２〜５秒の待機時間が経過したか否かを判定する。ここで肯定判定すると、制御部２は、図７のステップＳ２２０に移行して、ＩＣカード３００をカード受取位置ＫＰにロックする。即ち、制御部２は、カード受取位置ＫＰにＩＣカード３００を受け取ってから所定の待機時間が経過した時点で、カードロック機構４０１（図５参照）を駆動制御して、ＩＣカード３００をカード受取位置ＫＰにロックする（ステップＳ２２０）。これにより、ユーザーによるカード受取位置ＫＰからのＩＣカード３００の抜取は不可となる。
【００２９】
上記したカードロックに続き、制御部２は、ＩＣチップ接点機構４０３を駆動してＩＣカード３００のＩＣチップ３０１に接点接触させた上、ＩＣチップ３０１を所定の電流にて活性化させる（ステップＳ２３０）。その後、制御部２は、ＩＣチップ３０１の活性化が成功したか否かを、ＩＣチップ３０１に記憶済みのカード情報のデーター読み取りにより判定し（ステップＳ２４０）、肯定判定すれば、その読み取ったカード情報に応じた各種のＩＣ取引処理、例えば、ユーザー所望の入金処理、出金処理等を行う（ステップＳ２５０）。
【００３０】
ＩＣチップ３０１からのカード情報の読み取りを伴うＩＣ取引処理が完了すると、制御部２は、カードロック機構４０１を復帰駆動制御して、ＩＣカード３００のロックを解除する（ステップＳ２６０）。これにより、カード受取位置ＫＰからのＩＣカード３００の抜取が可能となるので、制御部２は、図８（ｃ）のカード抜取案内画像を操作部３に表示して、ユーザーによるＩＣカード３００の抜取を待機して（ステップＳ２７０）、一旦、本ルーチンを終了する。
【００３１】
一方、ステップＳ２４０にて、ＩＣチップ３０１の活性化が成功しなかったと否定判定すると、ＩＣチップ３０１に記憶済みのカード情報に基づいたＩＣ取引が不可であるとしてステップＳ２６０に移行して、カードロックを解除する。その後は、ステップＳ２７０でのカード抜取案内画像の表示を経て、本ルーチンを終了する。
【００３２】
制御部２は、ステップＳ２１０にて、挿入されたＩＣカード３００はカード受取位置ＫＰに所定の待機時間に亘って存在していないと否定判定すると、図７のステップＳ２８０に移行する。ステップＳ２１０の否定判定は、ユーザーが慣れ親しんだカード挿入とカード抜取の一連動作をステップＳ２１０で規定する待機時間の経過前に行う場合に下される。よって、制御部２は、ステップＳ２２０のようなカードロックを行わず、図７のステップＳ２８０に移行する。このようにロックがなされないので、ＩＣチップ接点機構４０３は、ＩＣチップ３０１と対向してはいるものの、ＩＣチップ３０１の側に向けて駆動していない。よって、ユーザーが行ったカード挿入とカード抜取の一連の動作は、ＩＣチップ接点機構４０３がＩＣチップ３０１に非接触の状態でなされることになる。そして、ステップＳ２１０での否定判定に続くステップＳ２８０では、制御部２は、ステップＳ２００にて磁気ストライプ３０２から読み取り済みのカード情報、具体的には図３に示したサービスコード３０４の数値データーに基づいてＩＣ取引が実行可能か否かを判定する。ここで、サービスコード３０４が数値「２」、数値「６」以外のデーターであれば、制御部２は、ＩＣ取引が不可であるとして何の処理も行うことなく本ルーチンを終了する。
【００３３】
一方、ステップＳ２８０にてＩＣ取引が実行可能であると肯定判定すると、制御部２は、図９（ａ）に示す画像情報を取得するよう画像取得機構部１７を制御し、操作部３に、図９（ａ）のカードの再挿入案内画像を表示する（ステップＳ２９０）。次いで、制御部２は、ユーザーによる２度目のカード挿入を待機し（ステップＳ３００）、カード挿入があると、図９（ｂ）に示す画像情報を取得するよう画像取得機構部１７を制御し、操作部３に、図９（ｂ）のカード抜取を禁止する案内画像を表示する（ステップＳ３１０）。この案内画像の表示に続いて、或いは画像表示と並行して、制御部２は、再度のカード挿入の際に、磁気ストライプ３０２に記録済みのカード情報を磁気ヘッド４０２にて再度読み取り（ステップＳ３２０）、このカード情報を一旦記憶する。
【００３４】
次いで、制御部２は、図６のステップＳ２００で読取・記憶した当初のカード情報とステップＳ３２０で読取・記憶した２度目のカード情報とを対比し、今回挿入されたＩＣカード３００は当初に挿入済みのＩＣカード３００と異なるか否かを判定する（ステップＳ３３０）。ここで、今回挿入されたＩＣカード３００は当初に挿入済みのＩＣカード３００と異なると判定すると、制御部２は、ＩＣ取引が不可であるとしてカード抜取を促すべく、ステップＳ２７０に移行し、その後、本ルーチンを終了する。この場合のステップＳ２７０では、制御部２は、図９（ｃ）に示す画像情報を取得するよう画像取得機構部１７を制御し、操作部３に、図９（ｃ）のカード抜取を案内する画像を表示する。
【００３５】
一方、ステップＳ３３０にて、今回挿入されたＩＣカード３００は当初に挿入済みのＩＣカード３００と同一である判定すると、制御部２は、カードの再挿入を経て受け取ったＩＣカード３００がカード受取位置ＫＰに所定の待機時間に亘って存在しているか否かを、ステップＳ２２０と同様に判定する（ステップＳ３４０）。そして、このステップＳ３４０で肯定判定すると、制御部２は、既述したステップＳ２２０に移行して、カード受取位置ＫＰでのＩＣカード３００のロック、ＩＣチップ接点機構４０３の駆動を経たチップ活性化（ステップＳ２３０）、活性化の成否判定（ステップＳ２４０）、ＩＣ取引処理（ステップＳ２５０）、ＩＣカード３００のロック解除（ステップＳ２６０）、カード抜取案内画像の表示（ステップＳ２７０）といった一連の処理を行って、一旦、本ルーチンを終了する。また、ステップＳ３４０にて、再挿入されたＩＣカード３００はカード受取位置ＫＰに所定の待機時間に亘って存在していないと否定判定すると、ステップＳ２７０に移行してカード抜取案内画像を表示した後、本ルーチンを終了する。なお、ステップＳ３４０にて否定判定した場合は、ユーザーにより既にＩＣカード３００はカード受取位置ＫＰから抜き取られていると想定されるので、何の処理も行わず、本ルーチンを終了してもよい。
【００３６】
以上説明した構成を備える第１実施形態のＡＴＭ２０は、ユーザーのＩＣカード３００の挿入を経て、そのＩＣカード３００をカード受取位置ＫＰに受け取る（ステップＳ１８０〜１９０）。その上で、第１実施形態のＡＴＭ２０は、ＩＣカード３００を受け取ってから所定の待機時間の経過後に、ＩＣカード３００をカードロック機構４０１にてカード受取位置ＫＰにロックして（ステップＳ２１０〜２２０）、カード受取位置ＫＰまで挿入済みのＩＣカード３００のユーザーによるカード抜取を不可とする。そして、第１実施形態のＡＴＭ２０は、ユーザーによるカード抜取を不可とした状況下において、ＩＣカード３００のＩＣチップ３０１からＩＣチップ接点機構４０３にてカード情報を読み取り、カード情報の読み取り後に、カードロック機構４０１によるカードロックを解除してカード抜取を可能とする（ステップＳ２６０）。よって、第１実施形態のＡＴＭ２０では、ＩＣチップ接点機構４０３がＩＣチップ３０１に接点接触して情報読取を行っている間は、ユーザーによるカード抜取を不可となる。この結果、カード挿入に続いてカード抜取を行う一連の動作にユーザーが慣れていても、カード挿入に続くカード抜取ができないために、第１実施形態のＡＴＭ２０によれば、ＩＣチップ接点機構４０３やＩＣチップ３０１の接点の損傷を回避できる。
【００３７】
第１実施形態のＡＴＭ２０は、ＩＣカード３００をユーザーによるカード挿入を経て受け取ってから所定の待機時間の経過前にユーザーがＩＣカード３００を抜き取っても、このカード抜取の際には、ＩＣチップ接点機構４０３をＩＣチップ３０１と接点接触させない。この点からも、第１実施形態のＡＴＭ２０によれば、ＩＣチップ接点機構４０３やＩＣチップ３０１の接点の損傷を回避でき、延いてはカード損傷を回避できる。
【００３８】
第１実施形態のＡＴＭ２０は、ＩＣカード３００を受け取ってから所定の待機時間の経過前にユーザーがＩＣカード３００を抜き取られると、カード取引を継続すべく、まずは、既に磁気ストライプ３０２から読取済みのカード情報（図３参照）に基づいてＩＣ取引の実行可否を判定する（ステップＳ２８０）。そして、ＩＣ取引可能であれば、ＩＣカード３００の再度の挿入をユーザーに促し（ステップＳ２９０〜３００）、この再度のＩＣカード３００の挿入に際しても、再挿入に伴うカード受取から所定の待機時間の経過後に、ＩＣカード３００をカードロック機構４０１にてカード受取位置ＫＰにロックして（ステップＳ２１０〜２２０）、カード受取位置ＫＰまで再挿入されたＩＣカード３００のユーザーによるカード抜取を不可とする。よって、第１実施形態のＡＴＭ２０によれば、ユーザーによるカード挿入を経たＩＣカード３００の受け取りが最初の受け取りであるか再度の受け取りであるかに拘わらず、カード挿入とカード抜取とが一連の動作としてユーザーになされても、接点損傷、延いてはカード損傷を回避できる。また、カード取引を継続できるので、利便性も高まる。
【００３９】
第１実施形態のＡＴＭ２０は、ＩＣカード３００を用いた取引を所望するユーザーに対して、その取引の開始に先立ち、ユーザー自身にＩＣ取引か磁気取引のいずれかの選択を委ねる（ステップＳ１００）。よって、ユーザーがＩＣ取引を選択すれば、そのユーザーは、ＩＣ取引選択以降のカードの取扱においては、カード挿入とこれに続くカード抜取を一連の動作として行わないようにする、との認識を持ち得る。しかしながら、カード取引に際してはカード挿入とこれに続くカード抜取を一連の動作として行うことにユーザーが慣れ親しんでいればいるほど、上記認識に反して、カード挿入とこれに続くカード抜取を一連の動作として行ってしまう不測の事態も起き得る。第１実施形態のＡＴＭ２０は、こうした不測の事態が起きた場合であっても、ユーザーによるカード抜取の際にはＩＣチップ接点機構４０３をＩＣチップ３０１に接点接触させないと共に、所定の経過時間の経過後でしかカードロックも行わないので、接点損傷、延いてはカード損傷を回避できる。
【００４０】
第１実施形態のＡＴＭ２０は、ＩＣ取引を選択したユーザーがカード挿入とこれに続くカード抜取を一連の動作として所定の待機時間の経過前に行うと、ユーザーにＩＣカード３００の再挿入を案内画面で促す。よって、第１実施形態のＡＴＭ２０によれば、ＩＣカード３００の再挿入の際には、ユーザーはカード挿入とこれに続くカード抜取を一連の動作として行わないようになると期待でき、この点からも、接点損傷回避やカード破損回避の上で有益となる。
【００４１】
第１実施形態のＡＴＭ２０は、ＩＣ取引を選択したユーザーがカード挿入とこれに続くカード抜取を一連の動作として所定の待機時間の経過前に行うと、ユーザーにＩＣカード３００の再挿入を案内画面で促した上で（ステップＳ２８０〜２９０）、当初挿入されたＩＣカード３００の磁気ストライプ３０２におけるカード情報と再挿入されたＩＣカード３００の磁気ストライプ３０２におけるカード情報との一致・不一致を判別する（ステップＳ３００〜３３０）。そして、上記の両カード情報が不一致であれば、カードロック機構４０１によるカードロックを行うことなく、ユーザーにカード抜取を行うよう抜取案内画面の表示で促す。よって、第１実施形態のＡＴＭ２０によれば、誤ってユーザーが異なるＩＣカード３００を再挿入しても、誤挿入であることの画面報知（図９（ｃ））を通して、ユーザーに当初挿入したＩＣカード３００と同じカードの挿入を促して、ＩＣ取引の継続を図ることができる。
【００４２】
Ｂ．第２実施形態：カード取引処理：
次図１０はＡＴＭ２０にて行われる第２実施形態のカード取引処理の前半を占める各処理を示すフローチャート、図１１は第２実施形態のカード取引処理の後半を占める各処理を示すフローチャート、図１２は第２実施形態のカード取引処理におけるリスト作成処理の詳細を説明するためのフローチャート、図１３は第２実施形態のカード取引処理の遂行に伴う操作部３での案内表示推移を示す説明図である。
【００４３】
第２実施形態のカード取引処理にあっても、制御部２による各機器制御下で行われ、まず、制御部２は、カード挿入を促す案内画像を操作部３に表示して（ステップＳ４００）、その案内画像をユーザーに提供する。このステップＳ４００で、制御部２は、図１３（ａ）に示す画像情報を取得するよう画像取得機構部１７を制御し、操作部３に、図１３（ａ）のカード挿入案内画像を表示する。この場合、制御部２は、図１３（ａ）に示すカード挿入案内画像を常時、操作部３に表示してもよいし、図１において省略した人体検知センサー等にてユーザーの接近を検知し、ユーザー検知に合わせて図１３（ａ）に示すカード挿入案内画像を表示してもよい。制御部２は、図１３（ａ）のカード挿入案内画像を表示した後、カード機構部４のカード挿入孔４１４（図４参照）へのユーザーによるカード挿入を待機する（ステップＳ４１０）。
【００４４】
ユーザーによるカード挿入があると、制御部２は、そのカード挿入の際に、磁気ストライプ３０２に記録済みのカード情報を磁気ヘッド４０２にて読み取り（ステップＳ４２０）、この際のデーター読取状況により、取引タイプ選択リストの作成処理を実行する（ステップＳ５００）。この取引タイプ選択リストの作成処理では、図１２に示すように、制御部２は、ステップＳ４２０でのデーター読取対象となったカードが磁気ストライプ３０２を備えないカードか否かのカード判別を磁気ヘッド４０２によるデーター読取状況に基づいて実行する（ステップＳ５１０）。磁気ヘッド４０２を備えないカードであれば、磁気ヘッド４０２のデーター読取結果はヌル、或いは読取エラーとなるので、こうした読取状況からカード判別が可能である。そして、ステップＳ５１０で磁気ストライプ３０２を備えないカードであると肯定判定すると、制御部２は、読取対象のカードはＩＣチップ３０１のみを有するＩＣ取引専用のカードであるとして、取引選択画面に「ＩＣ取引」のみを表示する画像を操作部３に表示して（ステップＳ５２０）、取引タイプ選択リスト作成処理を抜け、後述のステップＳ６００に移行する。ステップＳ５２０での画面表示では、制御部２は、図１３（ｂ）に示す画像情報を取得するよう画像取得機構部１７を制御し、操作部３に、図１３（ｂ）の取引タイプ選択画像を表示する。
【００４５】
ステップＳ５１０で磁気ストライプ３０２を備えるカードであると否定判定すると、制御部２は、ステップＳ４２０にて磁気ストライプ３０２から読み取り済みのサービスコード３０４（図３参照）の数値データーに基づいてＩＣ取引が実行可能か否かを判定する（ステップＳ５３０）。ここで、サービスコード３０４が数値「２」或いは数値「６」であれば、制御部２は、磁気ストライプ３０２の読取を伴う磁気取引も、ＩＣチップ３０１の読取を伴うＩＣ取引も実行可能であるとして、取引選択画面に「ＩＣ取引」と「磁気取引」の両者を表示する画像を操作部３に表示して（ステップＳ５４０）、取引タイプ選択リスト作成処理を抜け、後述のステップＳ６００に移行する。ステップＳ５４０での画面表示では、制御部２は、図１３（ｃ）に示す画像情報を取得するよう画像取得機構部１７を制御し、操作部３に、図１３（ｃ）の取引タイプ選択画像を表示する。
【００４６】
ステップＳ４２０にて読み取り済みのサービスコード３０４が数値「２」と数値「６」以外であるために、ステップＳ５３０でＩＣ取引が実行不可であると否定判定すると、制御部２は、磁気ストライプ３０２の読取を伴う磁気取引のみが実行可能であるとして、取引選択画面に「磁気取引」のみを表示する画像を操作部３に表示して（ステップＳ５５０）、取引タイプ選択リスト作成処理を抜け、後述のステップＳ６００に移行する。ステップＳ５５０での画面表示では、制御部２は、図１３（ｄ）に示す画像情報を取得するよう画像取得機構部１７を制御し、操作部３に、図１３（ｄ）の取引タイプ選択画像を表示する。
【００４７】
よって、ステップＳ４２０での磁気ストライプ３０２の読取とこれに続くステップＳ５００での取引タイプ選択リスト作成処理の後、制御部２は、図１３（ｂ）〜（ｄ）のいずれか一つの取引タイプ選択画像が操作部３に表示して、ユーザーによる取引タイプの選択を待機する（ステップＳ６００）。そして、ユーザーは、操作部３に表示された取引タイプ選択画像を見て取引を選択し、取引を継続する。まず、図１３（ｄ）の取引タイプ選択画像が表示された場合について説明する。
【００４８】
図１３（ｄ）の取引タイプ選択画像は、「磁気取引」のみを含むので、ユーザーはこの「磁気取引」を選択する。そうすると、制御部２は、この選択を受けて、挿入された磁気カード３００がカードリーダー４００（図５参照）におけるカード受取位置ＫＰに位置しているか否かを、カード挿入センサー４０４のセンサー出力に基づいて判定する（ステップＳ６１０）。ここで肯定判定すると、制御部２は、図８（ｃ）に示す画像情報を取得するよう画像取得機構部１７を制御し、操作部３に、図８（ｃ）のカード抜取案内画像を表示して、ユーザーによる磁気カード３００の抜取を待機する（ステップＳ６２０）。上記のカード抜取案内画像の表示の後、制御部２は、ステップＳ４２０で読み取ったカード情報に応じた各種の磁気取引処理、例えば、ユーザー所望の入金処理、出金処理等を行って（ステップＳ６３０）、一旦、本ルーチンを終了する。
【００４９】
図１３（ｃ）の取引タイプ選択画像は、「ＩＣ取引」と「磁気取引」が含まれる。よって、ユーザーが「磁気取引」を選択すれば、制御部２は、上記したステップＳ６１０に移行して、既述した処理を実行する。一方、図１３（ｃ）の取引タイプ選択画像で「ＩＣ取引」が選択された場合、および、「ＩＣ取引」しか含まない図１３（ｂ）の取引タイプ選択画像で当然に「ＩＣ取引」が選択された場合、制御部２は、既述した第１実施形態のステップＳ２１０以降の処理に倣い、次のように各処理を実行する。なお、以下の説明に当たっては、第１実施形態と同じ処理については、その説明を簡略化する。
【００５０】
ユーザーにより「ＩＣ取引」が選択されると、制御部２は、挿入されたＩＣカード３００がカードリーダー４００（図５参照）におけるカード受取位置ＫＰに、所定の待機時間に亘って存在しているか否かを判定する（ステップＳ６４０）。ここで否定判定すると、既述した第１実施形態のステップＳ２９０〜Ｓ３４０と同様に、図９（ａ）のカードの再挿入案内画像の表示（ステップＳ６５０）、ユーザーによる２度目のカード挿入待機（ステップＳ６６０）、図９（ｂ）のカード抜取禁止案内画像の表示（ステップＳ６７０）、磁気ストライプ３０２に記録済みのカード情報の再読み取り（ステップＳ６８０）を行う。
【００５１】
次いで、制御部２は、当初のカード情報とステップＳ６８０で読取・記憶した２度目のカード情報との一致・不一致判定を行い（ステップＳ０）。ここで、今回挿入されたＩＣカード３００は当初に挿入済みのＩＣカード３００と異なると判定すると、制御部２は、ＩＣ取引が不可であるとしてカード抜取を促すべく、ステップＳ７７０に移行し、その後、本ルーチンを終了する。この場合のステップＳ７７０では、制御部２は、操作部３に、図９（ｃ）のカード抜取を案内する画像を表示する。
【００５２】
一方、ステップＳ６９０にて、今回挿入されたＩＣカード３００は当初に挿入済みのＩＣカード３００と同一である判定すると、制御部２は、カードの再挿入を経て受け取ったＩＣカード３００がカード受取位置ＫＰに所定の待機時間に亘って存在しているか否かを、判定する（ステップＳ７００）。そして、このステップＳ７００で肯定判定すると、制御部２は、カード受取位置ＫＰでのＩＣカード３００のロック（ステップＳ７１０）、ＩＣチップ接点機構４０３の駆動を経たチップ活性化（ステップＳ７２０）、活性化の成否判定（ステップＳ７３０）、ＩＣ取引処理（ステップＳ７４０）、ＩＣカード３００のロック解除（ステップＳ７５０）、カード抜取案内画像の表示（ステップＳ７７０）といった一連の処理を行って、一旦、本ルーチンを終了する。また、ステップＳ７００にて、再挿入されたＩＣカード３００はカード受取位置ＫＰに所定の待機時間に亘って存在していないと否定判定すると、ステップＳ７６０に移行してカード抜取案内画像を表示した後、本ルーチンを終了する。なお、ステップＳ７００にて否定判定した場合は、ユーザーにより既にＩＣカード３００はカード受取位置ＫＰから抜き取られていると想定されるので、何の処理も行わず、本ルーチンを終了してもよい。
【００５３】
図１０のステップＳ６４０にて、挿入されたＩＣカード３００がカード受取位置ＫＰに所定の待機時間に亘って存在していると肯定判定すると、制御部２は、図１１のステップＳ７１０に移行する。そして、それ以降、制御部２は、カード受取位置ＫＰでのＩＣカード３００のロック（ステップＳ７１０）に続き、ＩＣチップ接点機構４０３の駆動を経たチップ活性化（ステップＳ７２０）、活性化の成否判定（ステップＳ７３０）、ＩＣ取引処理（ステップＳ７４０）、ＩＣカード３００のロック解除（ステップＳ７５０）、カード抜取案内画像の表示（ステップＳ７７０）といった一連の処理を行って、一旦、本ルーチンを終了する。
【００５４】
以上説明した第２実施形態のＡＴＭ２０にあっても、ＩＣカード３００を受け取ってから所定の待機時間の経過後に（ステップＳ６４０）、ＩＣカード３００をカードロック機構４０１にてカード受取位置ＫＰにロックして（ステップＳ７１０）、カード受取位置ＫＰまで挿入されたＩＣカード３００のユーザーによるカード抜取を不可とする。よって、第２実施形態のＡＴＭ２０によっても、ＩＣチップ接点機構４０３やＩＣチップ３０１の接点損傷の回避と言った効果を奏することができる。
【００５５】
第２実施形態のＡＴＭ２０は、ユーザーが挿入したカードがＩＣチップ３０１を有しない磁気カード３００或いはＩＣカード３００のいずれであっても、挿入されたカードにて取引できるリストをユーザーに提示する（ステップＳ６００：図１３（ｂ）〜（ｄ））。よって、第２実施形態のＡＴＭ２０によれば、カード取引を行う際のユーザーの利便性を向上させる。
【００５６】
上記した実施形態では、挿入されたＩＣカード３００がカードリーダー４００（図５参照）におけるカード受取位置ＫＰに所定の待機時間に亘って存在しているか否かの判断を行うに当たり、この待機時間を２〜５秒に設定したが、この時間範囲に限らない。例えば、カメラ等にてユーザーのカード挿入とこれに続くカード抜取とが一連の動作として行われる状況を随時観察し、その観察結果に応じて、待機時間を変更設定したり、ＡＴＭ管理者によるディップスイッチ等の操作にて随時変更するようにしてもよい。
【００５７】
本発明は、上述の実施形態に限られるものではなく、その趣旨を逸脱しない範囲において種々の構成で実現することができる。例えば、発明の概要の欄に記載した各形態中の技術的特徴に対応する実施形態の技術的特徴は、上述の課題の一部又は全部を解決するために、或いは、上述の効果の一部又は全部を達成するために、適宜、差し替えや、組み合わせを行うことが可能である。また、その技術的特徴が本明細書中に必須なものとして説明されていなければ、適宜、削除することが可能である。この他、本発明は、特許請求の範囲に記載した形態以外の種々の形態で実現することも可能であり、例えば、カードリーダーとしての形態や、紙幣のみを取り扱うＡＴＭにおけるカード取引や、紙幣と硬貨の両者を取り扱うＡＴＭにおけるカード取引としての形態、或いはＡＴＭ以外のカード取引装置としての形態等で実現することが可能である。また、上記の各構成、機能、処理部、処理手段などは、それらの一部または全部を、例えば集積回路で設計するなどによりハードウェアで実現してもよい。また、前記の各構成、機能などは、プロセッサがそれぞれの機能を実現するプログラムを解釈し、実行することによりソフトウェアで実現してもよい。
【００５８】
各機能を実現するプログラム、テーブル、ファイルなどの情報は、メモリや、ハードディスク、ＳＳＤ（Solid State Drive）などの記録装置、または、ＩＣ（Integrated Circuit）カード、ＳＤカード、ＤＶＤなどの記録媒体に置くことができる。また、制御線や情報線は説明上必要と考えられるものを示しており、製品上必ずしも全ての制御線や情報線を示しているとは限らない。実際にはほとんど全ての構成が相互に接続されていると考えてもよい。
【００５９】
なお、前述した各実施形態における構成要素の中の、請求項で記載された要素以外の要素は、付加的な要素であり、適宜省略可能である。
【符号の説明】
【００６０】
２…制御部
３…操作部
４…カード機構部
５…明細票機構部
６…紙幣入出金機構部
７…硬貨入出金機構部
８…回線接続部
９…音声案内ガイダンス部
１０…ホストコンピューター
１１…静脈認証機構部
１２…回線接続部
１３…口座情報ファイル制御部
１４…ファイル部
１５…ホストコンピューター制御部
１６…口座情報ファイル
１７…画像取得機構部
１８…タイマ機構部
１９…金銭真偽判別機構部
２０…自動取引装置（ＡＴＭ）
２１…処理指示取得部
２２…処理指示記憶部
１００…現金取引処理システム
３００…ＩＣカード、磁気カード
３０１…ＩＣチップ
３０２…磁気ストライプ
３０３…暗証番号
３０４…サービスコード
４００…カードリーダー
４０１…カードロック機構
４０２…磁気ヘッド
４０３…ＩＣチップ接点機構
４０４…カード挿入センサー
４１０…カード案内突起
４１２…カード案内突起
４１４…カード挿入孔
ＫＰ…カード受取位置
ＮＴ…ネットワーク
【図１】
2015176515.tif 000003
【図２】
2015176515.tif 000004
【図３】
2015176515.tif 000005
【図４】
2015176515.tif 000006
【図５】
2015176515.tif 000007
【図６】
2015176515.tif 000008
【図７】
2015176515.tif 000009
【図８】
2015176515.tif 000010
【図９】
2015176515.tif 000011
【図１０】
2015176515.tif 000012
【図１１】
2015176515.tif 000013
【図１２】
2015176515.tif 000014
【図１３】
2015176515.tif 000015